(57)【要約】【課題】新設枠を取り付ける際の取付強度を確保しつつ、既設枠に新設枠を取り付けるための時間を短縮できる改装建具を提供すること。【解決手段】改装建具１は、建物１００の開口１０１に設けられた既設枠３と、既設枠３を覆うように設けられた新設枠２と、を備える改装建具１であって、既設枠３における見付方向の内側を向く見込面３１０、３３０に固定される取付板３１５、３３５を備え、新設枠２は、既設枠３に固定された取付板３１５、３３５に取り付けられる。既設枠３は、見込面３１０、３３０から、見付方向の内側に突出する突出部３１３，３３３を有し、取付板３１５、３３５は、既設枠３の見込面３１０、３３０において、突出部３１３，３３３寄りに配置されることが好ましい。【選択図】図５
2020125622.tif 000002
【特許請求の範囲】
【請求項１】
建物の開口に設けられた既設枠と、前記既設枠の少なくも一部を覆うように設けられた新設枠と、を備える改装建具であって、
前記既設枠における見付方向の内側を向く見込面に固定される取付板を備え、
前記新設枠は、前記既設枠に固定された前記取付板に取り付けられる、改装建具。
【請求項２】
前記既設枠は、前記見込面から、見付方向の内側に突出する突出部を有し、
前記取付板は、前記既設枠の前記見込面において、前記突出部寄りに配置される、請求項１に記載の改装建具。
【請求項３】
前記既設枠は、室外部分と、室内部分と、前記室外部分と前記室内部分との間に配置され断熱性を有する材料により形成されるブリッジ材と、を備え、
前記取付板は、前記ブリッジ材を避けた位置において、ねじ部材により、前記既設枠に固定される、請求項１又は２に記載の改装建具。
【発明の詳細な説明】
【技術分野】
【０００１】
本発明は、改装建具に関する。
【背景技術】
【０００２】
従来、建物の開口に取り付ける建具に関して、リフォーム等で改装する方法として、カバー工法が採用されている。このカバー工法によって改装された改装建具では、建物の開口に取り付けられた既設枠に対して、その内周側を覆うように新設枠が取り付けられる（例えば、特許文献１参照）。
近年、躯体の開口側における見込面から室外側面を覆うように、既設枠が、いわゆる半外納まりで取り付けられるものがある。
【先行技術文献】
【特許文献】
【０００３】
【特許文献１】特開２０１６−３３２８２号公報
【発明の概要】
【発明が解決しようとする課題】
【０００４】
既設枠に新設枠を取り付ける場合には、新設枠を取り付ける際の取付強度を確保した上で、既設枠に新設枠を取り付けることが望まれる。
ここで、カバー工法で新設枠を取り付ける場合に、既設のドアの開閉時に既設のドアの左右方向の端部に対向して設けられる気密材取付部（突出部）が、新設枠の配置場所に位置して、邪魔になることがある。気密材取付部は戸当たりとして機能する部材である。このような場合に、カバー工法で新設枠を取り付ける方法として、既設枠に設けれた気密材取付部を切断して新設枠を取り付ける方法がある。しかし、気密材取付部を切断して新設枠を取り付ける方法を採用する場合に、既設枠が半外納まりで取り付けられた場合には、新設のドアの下部が既設の下枠に当たってしまうため、既設の下枠を取り外す必要があり、既設枠に新設枠を取り付けるための時間が必要となる。
また、カバー工法で新設枠を取り付ける方法として、気密材取付部を逃げる部品を付けた後に新設枠を取り付ける方法がある。しかし、気密材取付部を逃げる部品を付けた後に新設枠を取り付ける場合には、気密材取付部を逃げる部品を取り付けるための時間が必要となる。
【０００５】
本発明は、新設枠を取り付ける際の取付強度を確保しつつ、既設枠に新設枠を取り付けるための時間を短縮できる改装建具を提供することを目的とする。
【課題を解決するための手段】
【０００６】
本発明は、建物（例えば、後述の建物１００）の開口（例えば、後述の開口１０１）に設けられた既設枠（例えば、後述の既設ドア枠３）と、前記既設枠の少なくも一部を覆うように設けられた新設枠（例えば、後述の新設ドア枠２）と、を備える改装建具（例えば、後述の改装建具１）であって、前記既設枠における見付方向の内側を向く見込面（例えば、後述の下面３１０、見込面３３０）に固定される取付板を備え、前記新設枠は、前記既設枠に固定された前記取付板に取り付けられる改装建具に関する。
【０００７】
また、前記既設枠は、前記見込面から、見付方向の内側に突出する突出部（例えば、後述の気密材取付部３１３、３３３）を有し、前記取付板は、前記既設枠の前記見込面において、前記突出部寄りに配置されることが好ましい。
【０００８】
また、前記既設枠は、室外部分（例えば、後述の室外部分３１２、３３２）と、室内部分（例えば、後述の室内部分３１１、３３１）と、前記室外部分と前記室内部分との間に配置され断熱性を有する材料により形成されるブリッジ材（例えば、後述のブリッジ材３１４ａ、３１４ｂ、３３４ａ、３３４ｂ）と、を備え、前記取付板は、前記ブリッジ材を避けた位置において、ねじ部材（例えば、後述の取付板固定ねじ３１２ｄ、３３２ｄ）により、前記既設枠に固定されることが好ましい。
【発明の効果】
【０００９】
本発明によれば、新設枠を取り付ける際の取付強度を確保しつつ、既設枠に新設枠を取り付けるための時間を短縮できる改装建具を提供することができる。
【図面の簡単な説明】
【００１０】
【図１】本実施形態に係る改装建具を室外側から視た図である。
【図２】本実施形態に係る改装建具が建物の開口に納められた状態の縦断面図である。
【図３】既設上枠に取付板を介して新設上枠が取り付けられた部分の拡大図である。
【図４】本実施形態に係る改装建具が建物の開口に納められた状態の横断面図である。
【図５】既設縦枠に取付板を介して新設縦枠が取り付けられた部分の拡大図である。
【図６】既設縦枠に取付板を固定する手順を示す図である。
【図７】既設縦枠に固定された取付板に新設縦枠及び建具用額縁を取り付ける手順を示す図である。
【発明を実施するための形態】
【００１１】
以下、本発明の実施形態について、図面を参照しながら詳しく説明する。なお、本明細書において、「見付方向」とは、建物に形成された開口に納められた建具におけるドア本体の幅方向（すなわち、左右方向）を意味し、「見込方向」とは、上記ドア本体の奥行き方向を意味する。
【００１２】
図１は、本実施形態に係る改装建具１（以下、単に建具１ともいう）を室外側から視た図である。本実施形態における改装建具１は、建物１００に既に取り付けられていた建具を構成する既設の部材のうち、脱着が可能な部分を交換するとともに、建物１００に固定されている既設の部材を建物１００に取り付けたままで、新たな部材を新設して形成するリフォーム用の改装建具１である。
図１に示すように、改装建具１は、玄関ドア等のドアであり、建物１００に形成された開口１０１（図２参照）に納められる。改装建具１は、新設枠としての新設ドア枠２と、戸体としてのドア本体４と、建具用額縁５と、を備える。
【００１３】
ドア本体４は、長方形の板材により構成され、開口１０１を開閉するように取り付けられる。ドア本体４は、丁番４１を介して室外側（図中手前側）で開閉可能に吊り込まれる。そして、ドア本体４の戸先側には、シリンダー錠４２及びハンドル４３が取り付けられている。
【００１４】
新設ドア枠２及び建具用額縁５は、建物１００の開口１０１における開口縁１０２（図２参照）に沿って、ドア本体４の周囲に配置されている。新設ドア枠２及び建具用額縁５については、後に詳述する。
【００１５】
図２は、本実施形態に係る改装建具１が建物１００の開口１０１に納められた状態の縦断面図である。図３は、既設上枠３１に取付板３１５を介して新設上枠２１が取り付けられた部分の拡大図である。図４は、本実施形態に係る改装建具１が建物１００の開口１０１に納められた状態の横断面図である。図５は、既設縦枠３３に取付板３３５を介して新設縦枠２３が取り付けられた部分の拡大図である。
なお、以下において左右とは、室外側から視た場合の左右を意味する。つまり、図４において、見付方向で、吊元側が右側、戸先側が左側である。
【００１６】
図２〜図５に示すように、開口１０１は、建物１００の躯体としての梁部材１１１及び左右の柱部材１１２と、室内側の床材１１３と、により四周を区画されている。
梁部材１１１及び左右の柱部材１１２の内面側には、室内側額縁材１１４が配置されている。室内側額縁材１１４は、梁部材１１１に対してはスペーサ１１５を介して固定され、柱部材１１２に対しては直接固定される。
【００１７】
梁部材１１１と左右の柱部材１１２の少なくとも室内側には、断熱材１１９が配置される。断熱材１１９と梁部材１１１の間には、スペーサ１１５が配置される。
梁部材１１１及び左右の柱部材１１２の室外側には、外装パネル１１８が配置されている。この外装パネル１１８の端縁により、開口１０１の縁としての開口縁１０２が区画されている。
【００１８】
床材１１３は、化粧材１１６及びモルタル１１７により構成されている。化粧材１１６は、改装建具１の室外側及び室内側ともに、モルタル１１７の上面側に水平に配置されている。
【００１９】
図２〜図５に示すように、新設ドア枠２が、既設枠としての既設ドア枠３の幅方向の内側且つ室外側に取り付けられる。図２〜図５において、既設ドア枠３は、破線で示されている。
【００２０】
まず、既設ドア枠３の構成について説明する。
既設ドア枠３は、図２〜図５に示すように、開口１０１の内側に設けられ、長方形の枠状に形成される。既設ドア枠３は、既設上枠３１と、既設下枠３２と、左右の既設縦枠３３と、により構成され、気密材取付部３１３、３３３（突出部）を有する。既設ドア枠３は、躯体（梁部材１１１、柱部材１１２）の開口１０１側における見込面から室外側面を覆うように、いわゆる半外納まりで取り付けられる。
【００２１】
図２に示すように、既設上枠３１は、梁部材１１１の下方にスペーサ１１５を介して固定されている。
図３に示すように、既設上枠３１は、室内部分３１１と、室外部分３１２と、気密材取付部３１３と、ブリッジ材３１４ａ、３１４ｂと、を有する。
【００２２】
室内部分３１１は、図３に示すように、室内側に配置される既設枠である。室内部分３１１は、断面視略コの字型の形状をし、開口側が梁部材１１１に当接するように固定される。
【００２３】
室内部分３１１においては、既設上枠取付ねじ３１１ａが既設ドア枠３の上下方向に延びるように締結される。室内部分３１１は、既設上枠取付ねじ３１１ａにより梁部材１１１に固定される。
【００２４】
室外部分３１２は、図３に示すように、室外側に配置される既設枠である。室外部分３１２は、室内部分３１１の見付方向の外側に室内部分３１１と離間して配置される。室外部分３１２は、室外部分３１２の下側の面が室内部分３１１の下側の面と同一面上になるように配置されており、室外部分３１２及び室内部分３１１の下側の面は、既設上枠３１の下面３１０（見込面）として構成される。
【００２５】
室外部分３１２は、ブリッジ材３１４ａ、３１４ｂにより、室内部分３１１に連結された状態で配置される。室外部分３１２は、中空の断面方形（ホロー構造）の部材により形成され、室外側に突出する。室外部分３１２は、室内部分３１１と比べて見込方向（図３において前後方向）及び見付方向（図３において左右方向）の寸法が大きく設定されており、より大きな中空体で構成される。
【００２６】
ブリッジ材３１４ａ、３１４ｂは、室内部分３１１と室外部分３１２との間に配置され、室内部分３１１と室外部分３１２とを連結する。ブリッジ材３１４ａ、３１４ｂは、断熱性を有する材料により形成される。ブリッジ材３１４ａ、３１４ｂは、室内部分３１１と室外部分３１２とを互いが離間した状態で連結する。これにより、改装建具１は、優れた断熱構造（断熱機能）を有する。これらブリッジ材３１４ａ、３１４ｂは、熱伝導率の低い材料により構成され、例えば、樹脂やゴムにより構成される。
【００２７】
室外部分３１２の下面３１０（見付方向の内側（下側）を向く見込面）には、上下方向に延びるように配置される取付板固定ねじ３１２ｄ（ねじ部材）により、取付板３１５が固定される。取付板３１５は、既設上枠３１に新設上枠２１を取り付けるために既設上枠３１の下面３１０に固定されている。
取付板３１５を介して、既設上枠３１に新設上枠２１を取り付ける構造については後述する。
【００２８】
気密材取付部３１３は、室内部分３１１の室外側の部分の下方の見込面３１０から下方（見付方向の内側）に突出する板状の部材である。気密材取付部３１３は、改装前に使用される既設ドア枠３に設けられている。気密材取付部３１３には、改装前のドア本体（戸体、図示せず）との間の隙間を防ぐ弾性パッキン等の気密材（図示せず）を取り付け可能である。気密材取付部３１３は、既設ドア枠３において、改装前のドア本体の開閉時に戸先側又は吊元側が対向して配置される戸当たりとして機能する部分である。
気密材取付部３１３は、改装前のドア本体を取り付けた場合に、改装前のドア本体の室外側と室内側の境界近傍に配置されている。
【００２９】
既設下枠３２は、図２に示すように、平板状の部材が屈曲して形成されている。既設下枠３２は、室内側水平面３２１と、室外側水平面３２２と、段差部３２３と、室外側段差部３２４と、を有する。
室内側水平面３２１は、室内側で水平方向に延び、室内の床面と同じ高さに設けられる面である。
室外側水平面３２２は、室内側水平面３２１よりも下方で、室外側に向かって延びる面である。
段差部３２３は、室内側水平面３２１及び室外側水平面３２２を上下方向に接続する部分である。段差部３２３は、既設上枠３１の気密材取付部３１３の直下に配置され、気密材取付部３１３の係止部３１３ｃの外側端部から垂直方向に延ばした仮想線の延長線上に延びる（図２中では、新設上枠２１の室内側側面の線として表れている）。
室外側段差部３２４は、室外側水平面３２２の室外側端部から屈曲して下方に延びる。
既設下枠３２は、既設上枠３１に対向する位置で、モルタル１１７の上面に直接固定され、一部がモルタル１１７に埋め込まれている。
【００３０】
図４に示すように、左右の既設縦枠３３は、それぞれ、室内部分３３１と、室外部分３３２と、気密材取付部３３３と、を有する。
【００３１】
室内部分３３１は、図５に示すように、室内側に配置される既設枠である。室内部分３３１は、断面視略コの字型の形状をし、開口側が柱部材１１２に当接するように固定される。室内部分３３１は、室内側額縁材１１４の室外側に当接し、室内部分３３１の見込面と、室内側額縁材１１４の見込面とが連続する一面となるように柱部材１１２の室内側に取り付けられる。
【００３２】
室内部分３３１においては、既設縦枠取付ねじ３３１ａが既設ドア枠３の見付方向に延びるように締結される。室内部分３３１は、既設縦枠取付ねじ３３１ａにより柱部材１１２に固定される。
【００３３】
室外部分３３２は、図５に示すように、室外側に配置される既設枠である。室外部分３３２は、室内部分３３１の見付方向の外側に室内部分３３１と離間して配置される。室外部分３３２は、室外部分３３２の内側の面が室内部分３３１の内側の面と同一面上になるように配置されており、室外部分３３２及び室内部分３３１の見付方向の内側の面は、既設縦枠３３の見込面３３０として構成される。
【００３４】
室外部分３３２は、ブリッジ材３３４ａ、３３４ｂにより、室内部分３３１に連結された状態で配置される。室外部分３３２は、中空の断面方形（ホロー構造）の部材により形成され、室外側に突出する。室外部分３３２は、室内部分３３１と比べて見込方向（図５において前後方向）の寸法が大きく設定されており、より大きな中空体で構成される。
【００３５】
ブリッジ材３３４ａ、３３４ｂは、室内部分３３１と室外部分３３２との間に配置され、室内部分３３１と室外部分３３２とを連結する。ブリッジ材３３４ａ、３３４ｂは、断熱性を有する材料により形成される。ブリッジ材３３４ａ、３３４ｂは、室内部分３３１と室外部分３３２とを互いが離間した状態で連結する。これにより、改装建具１は、優れた断熱構造（断熱機能）を有する。これらブリッジ材３３４ａ、３３４ｂは、熱伝導率の低い材料により構成され、例えば、樹脂やゴムにより構成される。
【００３６】
室外部分３３２の左右方向の内側の見込面３３０には、左右方向に延びるように配置される取付板固定ねじ３３２ｄ（ねじ部材）により、取付板３３５が固定される。取付板３３５は、既設縦枠３３に新設縦枠２３を取り付けるために既設縦枠３３の見込面３３０に固定されている。
取付板３３５を介して、既設縦枠３３に新設縦枠２３を取り付ける構造については後述する。
【００３７】
気密材取付部３３３は、室内部分３３１の室内側の部分の見込面３３０から見付方向の内側に突出する板状の部材である。気密材取付部３３３は、改装前に使用される既設ドア枠３に設けられている。気密材取付部３３３には、改装前のドア本体（戸体、図示せず）との間の隙間を防ぐ弾性パッキン等の気密材（図示せず）を取り付け可能である。気密材取付部３３３は、既設ドア枠３において、改装前のドア本体の開閉時に戸先側又は吊元側が対向して配置される戸当たりとして機能する部分である。
気密材取付部３３３は、改装前のドア本体を取り付けた場合に、改装前のドア本体の室外側と室内側の境界近傍に配置されている。
【００３８】
次に、新設ドア枠２の構成について説明する。
図２〜図５に示すように、新設ドア枠２は、開口１０１の内側に配置され、長方形の枠状に形成される。新設ドア枠２は、既設ドア枠３の内周面（一部）を覆って既設ドア枠３に部分的に重なるように取り付けられる。新設ドア枠２は、既設ドア枠３のみに固定される。新設ドア枠２は、既設ドア枠３の室外側、詳細には、既設ドア枠３の気密材取付部３１３、３３３の見込方向外側に取り付けられる。新設ドア枠２は、新設上枠２１と、新設下枠２２と、左右の新設縦枠２３と、内額縁２５と、を有する。
【００３９】
図３に示すように、新設上枠２１は、室内側枠２１１と、室外側枠２１２と、ブリッジ材２１３ａ、２１３ｂと、を備える。
室内側枠２１１は、室内側に配置される新設枠であり、中空の部材である。
室内側枠２１１には、その下面から下方に延出する上枠気密材取り付け部２１ａと、上枠気密材取り付け部２１ａの室外側に取り付けられた気密材９１が設けられている。この気密材９１により、ドア本体４を傷つけないように受け止めると共に、ドア本体４の気密性が確保される。
【００４０】
室外側枠２１２は、室外側に配置される新設枠である。室外側枠２１２は、垂直方向上側において水平方向に沿って配置される中空の部材である。室外側枠２１２は、室内側枠２１１と離間して配置されるとともに、ブリッジ材２１３ａ、２１３ｂにより連結された状態で配置される。室外側枠２１２は、室内側枠２１１と比べて見付方向（図３において左右方向）の寸法が大きく設定されており、より大きな中空体で構成される。
【００４１】
ブリッジ材２１３ａ、２１３ｂは、室内側枠２１１と室外側枠２１２との間に配置され、室内側枠２１１と室外側枠２１２とを連結する。ブリッジ材２１３ａ、２１３ｂは、断熱性を有する材料により形成される。ブリッジ材２１３ａ、２１３ｂは、室内側枠２１１と室外側枠２１２とを互いが離間した状態で連結する。これにより、ドア本体４（新設ドア枠２）は、優れた断熱構造（断熱機能）を有する。これらブリッジ材２１３ａ、２１３ｂは、熱伝導率の低い材料により構成され、例えば、樹脂やゴムにより構成される。
【００４２】
新設上枠２１の室内側枠２１１は、図３に示すように、既設ドア枠３の室外部分３１２の下面３１０（見付方向の内側（下側）を向く見込面）に固定された取付板３１５に取り付けられる。取付板３１５は、既設ドア枠３の下面３１０において、左右方向に延びるように配置される。
【００４３】
取付板３１５は、図３に示すように、見付方向に延びる板状に形成され、既設上枠３１の室外部分３１２の下面３１０に配置される。取付板３１５は、見付方向において、気密材取付部３１３寄りに配置される。本実施形態においては、取付板３１５の室内側の端部は、気密材取付部３１３の室外側の面の近傍に配置され、気密材取付部３１３の室外側の面に対向している。取付板固定ねじ３１２ｄは、ブリッジ材３１４ａ、３１４ｂが配置される部分を避けて、既設上枠３１の室外部分３１２の下面３１０に上下方向に延びるように貫通されて、取付板３１５を既設上枠３１の室外部分３１２に固定する。
【００４４】
新設上枠２１は、新設上枠固定ねじ２１２ａにより、既設上枠３１の室外部分３１２の下面３１０に固定された取付板３１５に固定される。
具体的には、新設上枠２１は、既設上枠３１の室外部分３１２の下面３１０に固定された取付板３１５との間に、スペーサ３１６を配置した状態で、上下方向に延びるように配置される新設上枠固定ねじ２１２ａにより、既設上枠３１の室外部分３１２に固定される。新設上枠固定ねじ２１２ａは、新設上枠２１の室内側枠２１１の上側の上面板２１１ａの下側から、上面板２１１ａ、スペーサ３１６、取付板３１５及びブリッジ材３１４ａ，３１４ｂに貫通して配置される。これにより、新設上枠固定ねじ２１２ａは、新設上枠２１を既設上枠３１の下面３１０に固定された取付板３１５に、新設上枠２１を取り付けることができる。
【００４５】
新設下枠２２は、図２に示すように、下方において、新設上枠２１に対向して配置され、水平面２２１と、立ち上がり部２２２と、室外側段差部２２３と、を有する。
水平面２２１は、平坦で、水平方向に延びてドア本体４の下面に対向する。水平面２２１は、既設下枠３２の室外側水平面３２２の上に載るように設置される。
立ち上がり部２２２は、水平面２２１から上方に向かって起立する部分である。立ち上がり部２２２は、既設下枠３２の段差部３２３の室外側面に沿って固定される。立ち上がり部２２２の高さは、既設ドア枠３の段差部３２３の高さと概ね同様の高さに形成されている。立ち上がり部２２２は、室外側の面に下枠気密材取り付け部２２ａを有し、新設上枠２１の場合と同様に、気密材９１が下枠気密材取り付け部２２ａに取り付けられている。
室外側段差部２２３は、水平面２２１の室外側の端部から下方に延び、床材１１３の化粧材１１６の上に支持される。室外側段差部２２３の室外側の端部は、新設上枠２１の室外側端部から垂直方向下方に延ばした仮想線の延長線上に延びる（図２中では、新設上枠２１の室外側側面の線として表れている）。
【００４６】
図５に示すように、左右の新設縦枠２３は、室内側枠２３１と、室外側枠２３２と、ブリッジ材２３３ａ、２３３ｂと、を備える。
室内側枠２３１は、室内側に配置される新設枠であり、空の部材である。
室内側枠２３１には、その見付方向の内側の面から内側に延出する縦枠気密材取り付け部２３ａと、縦枠気密材取り付け部２３ａの室外側に取り付けられた気密材９１が設けられている。この気密材９１により、ドア本体４を傷つけないように受け止めると共に、ドア本体４の気密性が確保される。
【００４７】
室外側枠２３２は、室外側に配置される新設枠である。室外側枠２３２は、室外側において上下方向に沿って配置される中空の部材である。室外側枠２３２は、室内側枠２３１と離間して配置されるとともに、ブリッジ材２３３ａ、２３３ｂにより連結された状態で配置される。室外側枠２３２は、室内側枠２３１と比べて見込方向（図５において前後方向）の寸法が大きく設定されており、より大きな中空体で構成される。
【００４８】
ブリッジ材２３３ａ、２３３ｂは、室内側枠２３１と室外側枠２３２との間に配置され、室内側枠２３１と室外側枠２１２とを連結する。ブリッジ材２３３ａ、２３３ｂは、断熱性を有する材料により形成される。ブリッジ材２３３ａ、２３３ｂは、室内側枠２３１と室外側枠２３２とを互いが離間した状態で連結する。これにより、ドア本体４（新設ドア枠２）は、優れた断熱構造（断熱機能）を有する。これらブリッジ材２３３ａ、２３３ｂは、熱伝導率の低い材料により構成され、例えば、樹脂やゴムにより構成される。
【００４９】
左右の新設縦枠２３の室内側枠２３１は、図５に示すように、既設ドア枠３の室外部分３３２の左右方向の内側の見込面３３０に固定された取付板３３５に取り付けられる。取付板３３５は、既設ドア枠３の左右方向の内側の見込面３３０において、上下方向に延びるように配置される。
【００５０】
取付板３３５は、図５に示すように、見付方向に延びる板状に形成され、既設縦枠３３の室外部分３３２の内側の見込面３３０に配置される。取付板３３５は、見付方向において、気密材取付部３３３寄りに配置される。本実施形態においては、取付板３３５の室内側の端部は、気密材取付部３３３の室外側の面に当接して配置され、気密材取付部３３３の室外側の面に対向している。取付板固定ねじ３３２ｄは、ブリッジ材３３４ａ、３３４ｂが配置される部分を避けて、既設縦枠３３の室外部分３３２の見込面３３０に左右方向に延びるように貫通されて、取付板３３５を既設縦枠３３の室外部分３３２に固定する。
【００５１】
左右の新設縦枠２３は、新設縦枠固定ねじ２３２ａにより、既設縦枠３３の室外部分３３２の左右方向の内側の見込面３３０に固定された取付板３３５に固定される。
具体的には、左右の新設縦枠２３は、既設縦枠３３の室外部分３３２の左右方向の内側の見込面３３０に固定された取付板３３５との間に、スペーサ３３６を配置した状態で、左右方向に延びるように配置される新設縦枠固定ねじ２３２ａにより、既設縦枠３３の室外部分３３２に固定される。新設縦枠固定ねじ２３２ａは、新設縦枠２３の室内側枠２３１の外側の外面板２３１ａの内側から、外面板２３１ａ、スペーサ３３６、取付板３３５及びブリッジ材３３４ａ，３３４ｂに貫通して配置される。これにより、新設縦枠固定ねじ２３２ａは、新設縦枠２３を既設縦枠３３の見込面３３０に固定された取付板３３５に、新設縦枠２３を取り付けることができる。
【００５２】
内額縁２５は、図２及び図４に示すように、新設ドア枠２の内側の面から室内側に向かって延びるように、新設上枠２１及び左右の新設縦枠２３の三方に設けられている。内額縁２５は、既設ドア枠３の室内側の一部と、室内側額縁材１１４の一部とを覆うように配置される。
内額縁２５は、内額縁内側面２５１と、室内側側面部２５２と、を有する。内額縁内側面２５１は、室外側から室内側に向かって延びる平板状の面である。室内側側面部２５２は、内額縁内側面２５１から垂直方向に屈曲する平板状の面である。内額縁２５は、ねじにより室内側額縁材１１４に固定されている。
【００５３】
建具用額縁５は、図２及び図４に示すように、新設上枠２１及び左右の新設縦枠２３に連結され、既設ドア枠３の室外部分３１２、３３２を覆うように取り付けられる額縁部材である。建具用額縁５は、断面視で略コの字状の形状を有する。建具用額縁５は、改装建具１の開口１０１の開口縁１０２に沿って新設ドア枠２に取り付けられる直線的な縦長の形状を有する。建具用額縁５は、化粧面部５１と、長さ調整部５２と、嵌合部５３と、を有する。建具用額縁５は、アルミ材により形成されている。
【００５４】
化粧面部５１は、新設ドア枠２の見付面の少なくとも一部を覆うように配置される。化粧面部５１は、断面視で略コの字状の形状を有し、既設ドア枠３の室外部分３１２、３３２を覆うように配置される。
【００５５】
長さ調整部５２は、新設縦枠２３における化粧面部５１の見付方向外側の端部、及び新設上枠２１における化粧面部５１上方端部に連結され、改装建具１の見込方向を覆うように延びる縦長の平板状の部材である。長さ調整部５２は、長手方向が開口縁１０２の各辺に沿うように配置される。
【００５６】
嵌合部５３は、化粧面部５１と、長さ調整部５２にそれぞれ形成され、互いを連結可能に構成されている。
【００５７】
次に、新設ドア枠２の施工方法について説明する。図６は、既設縦枠３３に取付板３３５を固定する手順を示す図である。図７は、既設縦枠３３に固定された取付板３３５に新設縦枠２３及び建具用額縁５を取り付ける手順を示す図である。
本実施形態においては、主に、取付板３３５を介して、既設縦枠３３に新設縦枠２３を取り付ける場合について説明する。なお、本実施形態では図示を省略するが、既設上枠３１に新設上枠２１を取り付ける場合も、既設縦枠３３に新設縦枠２３を取り付ける場合と同様である。
【００５８】
本実施形態においては、既設ドア枠３は、建物１００の開口縁１０２に半外納まりで取り付けられている。まず、新設ドア枠２を既設ドア枠３に取り付ける前に、既設ドア枠３に取り付けられていたドア本体を取り外す。また、既設ドア枠３の気密材取付部３１３、３３３に係止されていた気密材をカッター等で取り除く。
【００５９】
次に、図６に示すように、取付板３３５を既設縦枠３３の見込面３３０に固定する。取付板３３５を既設縦枠３３の見込面３３０に固定する場合には、取付板３３５を見込面３３０の見込方向において気密材取付部３３３寄りに配置した状態で、取付板固定ねじ３３２ｄにより、取付板３３５を既設縦枠３３の見付方向の内側の見込面３３０に固定する。
また、同様に、図３に示すように、取付板固定ねじ３３２ｄにより、取付板３１５を既設上枠３１の下面３１０に固定する。
【００６０】
続けて、図７の上図に示すように、左右の既設縦枠３３それぞれにおいて、新設縦枠固定ねじ２３２ａにより、既設縦枠３３の見込面３３０に固定された取付板３３５に、新設縦枠２３を取り付ける。具体的には、既設縦枠３３の見込面３３０に固定された取付板３３５の見付方向の内側にスペーサ３３６及び新設縦枠２３を配置した状態で、新設縦枠固定ねじ２３２ａを、新設縦枠２３の外面板２３１ａの内側から、外面板２３１ａ、スペーサ３３６、取付板３３５及びブリッジ材３３４ａ，３３４ｂに貫通させる。これにより、新設縦枠固定ねじ２３２ａにより、既設縦枠３３の見込面３３０に固定された取付板３３５に、新設縦枠２３を取り付けることができる。
また、同様に、図３に示すように、既設上枠３１において、新設上枠固定ねじ２１２ａにより、既設上枠３１の見込面３１０に固定された取付板３１５に、新設上枠２１を取り付ける。
【００６１】
その後、図７の下図に示すように、額縁固定ねじ５ａにより、新設ドア枠２（新設縦枠２３、新設上枠２１）に建具用額縁５を取り付けて固定する。
【００６２】
以上のように構成される改装建具１においては、固定ねじ（新設上枠固定ねじ２１２ａ、新設縦枠固定ねじ２３２ａ）により、既設ドア枠３に固定した取付板３３５，３１５に、新設ドア枠２を取り付けることができる。よって、新設ドア枠２を取り付ける際の取付強度を確保しつつ、気密材取付部３１３、３３３を切断せずに、取付板３１５、３３５を固定することができ、また、気密材取付部３１３、３３３を逃げる部品を付けなくてよい。そのため、既設ドア枠３に新設ドア枠２を容易に取り付けることができる。また、既設ドア枠３に新設ドア枠２を取り付けるための時間を短縮できる。
【００６３】
従来、カバー工法で新設枠を取り付ける方法として、既設枠に新設枠を直接固定する方法があった。ここで、既設枠において、樹脂製の断熱性を有する部分が設けられている場合がある。このような場合には、既設枠に新設枠を直接固定する方法を採用する場合に、樹脂製の断熱部分にねじで固定することは取付強度が劣ることから、新設枠を既設枠の樹脂製の断熱部分に直接固定することができなかった。
【００６４】
これに対して、本発明においては、取付板３１５、３３５は、ブリッジ材３１４ａ、３１４ｂを避けた位置において、取付板固定ねじ３１２ｄ、３３２ｄにより、既設ドア枠３に固定される。これにより、樹脂製のブリッジ材３１４ａ、３１４ｂが配置された位置においても、固定ねじ（新設上枠固定ねじ２１２ａ、新設縦枠固定ねじ２３２ａ）により、既設ドア枠３に固定された取付板３１５、３３５に新設ドア枠２を固定することができる。よって、新設ドア枠２を取り付ける際の取付強度を確保しつつ、既設ドア枠３に取付板３１５、３３５を取り付けることができる。
【００６５】
本実施形態によれば、以下の効果が奏される。
本実施形態の改装建具１は、建物１００の開口１０１に設けられた既設ドア枠３と、既設ドア枠３を覆うように設けられた新設ドア枠２と、を備える改装建具１であって、既設ドア枠３における見付方向の内側を向く見込面（下面３１０、見込面３３０）に固定される取付板３１５、３３５を備え、新設ドア枠２は、既設ドア枠３に固定された取付板３１５、３３５に取り付けられる。
これにより、既設縦枠３３に固定した取付板３３５，３１５に、新設ドア枠２を取り付けることができるため、新設ドア枠２を取り付ける際の取付強度を確保しつつ、既設ドア枠３に新設ドア枠２を取り付けるための時間を短縮できる。
【００６６】
また、本実施形態においては、既設ドア枠３は、見込面（下面３１０、見込面３３０）から、見付方向の内側に突出する気密材取付部３１３、３３３を有し、取付板３１５、３３５は、既設ドア枠３の見込面（下面３１０、見込面３３０）において、気密材取付部３１３、３３３寄りに配置される。
これにより、気密材取付部３１３、３３３を切断せずに、取付板３１５、３３５を固定することができ、また、気密材取付部３１３、３３３を逃げる部品を付けなくてよい。よって、既設ドア枠３に新設ドア枠２を取り付けるための時間を短縮できる。
【００６７】
また、本実施形態においては、取付板３１５、３３５は、ブリッジ材３１４ａ、３１４ｂ、３３４ａ、３３４ｂを避けた位置において、取付板固定ねじ３１２ｄ、３３２ｄにより、既設ドア枠３に固定される。これにより、ブリッジ材３１４ａ、３１４ｂ、３３４ａ、３３４ｂを避けた位置に固定された取付板３１５、３３５に新設ドア枠２を固定できるため、新設ドア枠２を既設ドア枠３の樹脂製のブリッジ材３１４ａ、３１４ｂ、３３４ａ、３３４ｂが配置された位置に固定することができる。
【００６８】
以上、本発明の好ましい実施形態について説明したが、本発明は、上述の実施形態に制限されるものではなく、適宜変更が可能である。
【００６９】
例えば、上記実施形態では、新設ドア枠２を半外納まりに取り付けた構造を例に説明したが、これに限られない。新設ドア枠２をいわゆる内付で取り付けて、上枠取付ねじ及び縦枠取付ねじが短く構成した場合も含む。すなわち、内付で、ねじが梁部材や柱部材に到達しないため、ねじが既設ドア枠３にのみ締結されている場合も本発明の範囲である。
【符号の説明】
【００７０】
１      改装建具
２      新設ドア枠（新設枠）
３      既設ドア枠（既設枠）
１００  建物
１０１  開口
３１０  下面（見込面）
３１５、３３５  取付板
３１１、３３１  室内部分
３１２、３３２  室外部分
３１３、３３３  気密材取付部（突出部）
３１４ａ、３１４ｂ、３３４ａ、３３４ｂ  ブリッジ材
３１２ｄ、３３２ｄ  取付板固定ねじ（ねじ部材）
３３０  見込面
【図１】
2020125622.tif 000003
【図２】
2020125622.tif 000004
【図３】
2020125622.tif 000005
【図４】
2020125622.tif 000006
【図５】
2020125622.tif 000007
【図６】
2020125622.tif 000008
【図７】
2020125622.tif 000009